(57)【要約】【課題】  偽造の発見及び偽造行為の防止について、より信頼性の高い特殊景品の計数装置を提供すること。【解決手段】  ケース１１０の内部にＩＣ回路１２０及び貴金属１３０を設けてなる特殊景品１００をカウントする計数装置において、当該計数装置は、特殊景品１００を搬送する搬送手段６００と、ＩＣ回路１２０に記憶された情報を読み取る第１センサ７００と、貴金属１３０の導電率を検出する第２センサ８００とを備え、特殊景品１００が搬送手段６００により第１センサ７００の検出位置及び第２センサ８００の検出位置を通過するものであり、ＩＣ回路１２０の情報に基づいて特殊景品１００をカウントするとともに、貴金属１３０の導電率に基づいて特殊景品１００の真贋を判断する構成とした。【選択図】図１
2010082209.tif 000002
【特許請求の範囲】
【請求項１】
ケースの内部にＩＣ回路及び貴金属を設けてなる特殊景品をカウントする計数装置において、
当該計数装置は、前記特殊景品を搬送する搬送手段と、前記ＩＣ回路に記憶された情報を読み取る第１センサと、前記貴金属の導電率を検出する第２センサとを備え、
前記特殊景品が前記搬送手段により前記第１センサの検出位置及び前記第２センサの検出位置を通過するものであり、
前記ＩＣ回路の情報に基づいて前記特殊景品をカウントするとともに、前記貴金属の導電率に基づいて前記特殊景品の真贋を判断することを特徴とする特殊景品の計数装置。
【発明の詳細な説明】
【技術分野】
【０００１】
本発明は、パチンコやスロットマシンで獲得した遊戯媒体に応じて交換される特殊景品をカウントする計数装置に関する。
【背景技術】
【０００２】
一般に、特殊景品としては、カード型のケースの内部に貴金属及びＩＣ回路を設け、ＩＣ回路に景品としての価値をはじめとする各種情報を記憶させたものが知られている。
【０００３】
特殊景品は、所定の計数装置にてＩＣ回路の情報を読み取ることによりカウントされる。特許文献１乃至５には、この種の特殊景品が開示されている。特許文献６及び７には、特殊景品をカウントするための計数装置が開示されている。
【０００４】
尚、特許文献８及び９に開示されているように、金属製の有価物そのものを記憶媒体として利用することも可能である。ただし、記憶する情報の量、流通の利便性、有価物の製造性等を考慮すると、ＩＣ回路を利用する構成が優れており、ＩＣ回路を備えた特殊景品が主流となりつつあるのが現状である。
【特許文献１】特開平５−１６５８０号公報
【特許文献２】特開平９−１８５６９２号公報
【特許文献３】特開２００４−２１９７７号公報
【特許文献４】特開２００６−２０９２２６号公報
【特許文献５】実用新案登録第３１２４５１９号公報
【特許文献６】特開平７−２７１９３６号公報
【特許文献７】特許第３９１６１２２号公報
【特許文献８】特開平５−３１７５１７号公報
【特許文献９】特開平６−１２６０３８号公報
【発明の開示】
【発明が解決しようとする課題】
【０００５】
さて、ＩＣ回路を備えた特殊景品は、その記憶情報に基づいて流通されるため、貴金属のみを偽物に置き換えるなどの偽造を防止する構成が重要とされる。すなわち、偽造を試みる者は、特殊景品の構成部材を分離し、貴金属を取り出した後に復元し、これを流通させようとする。特殊景品の計数装置については、こうした偽造行為を防止するべく、偽造がなされた特殊景品を発見するための構成が必要とされている。
【０００６】
本発明は、かかる事情に鑑みてなされたものであり、その目的は、偽造の発見及び偽造行為の防止について、より信頼性の高い特殊景品の計数装置を提供することである。
【課題を解決するための手段】
【０００７】
本願第１請求項に記載した発明は、ケースの内部にＩＣ回路及び貴金属を設けてなる特殊景品をカウントする計数装置において、当該計数装置は、前記特殊景品を搬送する搬送手段と、前記ＩＣ回路に記憶された情報を読み取る第１センサと、前記貴金属の導電率を検出する第２センサとを備え、前記特殊景品が前記搬送手段により前記第１センサの検出位置及び前記第２センサの検出位置を通過するものであり、前記ＩＣ回路の情報に基づいて前記特殊景品をカウントするとともに、前記貴金属の導電率に基づいて前記特殊景品の真贋を判断する構成の特殊景品の計数装置である。
【発明の効果】
【０００８】
本発明によれば、偽造の発見及び偽造行為の防止について、より信頼性の高い特殊景品の計数装置を得ることができる。
【発明を実施するための最良の形態】
【０００９】
以下に、本発明の実施例を図面に基づいて説明する。図１に示す本例の計数装置１は、特殊景品１００をカウントするものである。図２乃至４に示すように、本例の特殊景品は、ケース１１０の内部に非接触式ＩＣ回路１２０及び貴金属１３０を設けてなるものである。貴金属１３０としては、金又は銀といった小型のプレートを採用している。
【００１０】
特殊景品１００の具体的構成は、特に限定はしないが、本例ではカード型のものを採用している。ケース１１０は、その厚さ方向に第１ケース部材１１１及び第２ケース部材１１２を接合して構成されている。非接触式ＩＣ回路１２０及び貴金属１３０は、第１ケース部材１１１及び第２ケース部材１１２の間に設けられている。各ケース部材１１１，１１２は、所定の形状に射出成形された合成樹脂製の部材であり、それらの一方には、非接触式ＩＣ回路１２０の位置決め部１１１ａ及び貴金属１３０の位置決め部１１１ｂが設けられている。各ケース部材１１１，１１２は、それらの一方に非接触式ＩＣ回路１２０及び貴金属１３０を配置し、これに他方を接着剤で張り合わせて接合される。また、第１ケース部材１１１及び第２ケース部材１１２の少なくとも一方には、貴金属１３０を目視可能とする透明部１１２ａが設けられている。
【００１１】
非接触式ＩＣ回路１２０は、フレキシブル基板１２１にＩＣチップ１２２及びアンテナ１２３を搭載してなるものである。フレキシブル基板１２１は、絶縁体からなるフィルム状の薄膜基板である。アンテナ１２３は、フレキシブル基板１２１の表面にプリント成形されている。ＩＣチップ１２２には、特殊景品１００の代価、特殊景品１００を扱う店舗のＩＤ、特殊景品１００の交換日時、及び特殊景品１００の通し番号表す固有の識別データ等がそれぞれ記憶されている。特殊景品１００の代価は、ケース１１０の内部に設けられた貴金属１３０の種類や大きさによって異なる。
【００１２】
本例の計数装置１は、当該装置を制御する制御手段２００と、データ解読用の初期設定データ及びカウント情報等を記憶する記憶手段３００と、当該装置を操作する操作手段４００と、カウント結果等の所定の情報を表示する表示手段５００と、特殊景品１００を搬送する搬送手段６００と、非接触式ＩＣ回路１２０に記憶された情報を読み取る第１センサ７００と、貴金属１３０の導電率を検出する第２センサ８００とを備えている。そして、特殊景品１００が搬送手段６００により第１センサ７００の検出位置及び第２センサ８００の検出位置を通過するものであり、非接触式ＩＣ回路１２０の情報に基づいて特殊景品１００をカウントするとともに、貴金属１３０の導電率に基づいて特殊景品１００の真贋を判断する構成となっている。
【００１３】
制御手段２００は、ＣＰＵ、ＲＡＭ、ＲＯＭ等を配置した基板からなり、記憶手段３００は、その基板に配置したＥＥＰＲＯＭである。ＥＥＰＲＯＭは、電気的に内容の変更が可能なＰＲＯＭであり、本例では、フラッシュメモリを採用している。
【００１４】
操作手段４００は、カウントの開始や終了等を操作するプッシュ式の操作ボタン等を複数配列して構成されている。
【００１５】
表示手段５００としては、デジタル表示部又は液晶ディスプレイを採用している。
【００１６】
搬送手段６００は、その駆動源たるモータ６１０と、一対のプーリ６２０と、プーリ６２０に装着されたベルト６３０と、景品１００を重ねてセットするセット部６４０とを備え、カウントの開始とともにモータ６１０が駆動することにより、セット部６４０にセットされた特殊景品１００が、ベルト６３０の移動に伴い連続して一枚ずつ各センサ７００，８００の検出位置を通過する構成となっている。図１中の白矢印は、景品１００の排出方向を示している。
【００１７】
第１センサ７００は、電波を発射してＩＣを励振させ、その応答電波を受信するものである。景品１００のカウントは、第１センサ７００にて検出された情報を制御手段２００が解読することによってなされる。制御手段２００によると、検出情報に応じて特殊景品１００の個数と、それらの代価のトータルがカウントされ、カウント情報が表示手段５００に表示される。
【００１８】
第２センサ８００は、駆動コイルにて交流磁界を発生して貴金属１３０に渦電流を生じさせ、これを検出コイルにて検出することにより、貴金属１３０の導電率を検出するものである。記憶手段３００には、特殊景品１００に設けられた貴金属１３０固有の導電率が記憶されており、制御手段２００は、第１センサ７００にて検出された特殊景品１００の代価と、第２センサ８００にて検出された貴金属１３０の導電率とを照合し、それらが一致することを確認することにより、特殊景品１００の真贋を判断する。
【００１９】
図５は、この計数装置１の制御を示すフローチャートである。特殊景品１００のカウントは、オペレータが特殊景品１００をセット部６４０にセットした後、操作手段４００の所定のボタンを押すことによって開始される（Ｓ１）。カウントが開始されると、搬送手段６００、第１センサ７００、及び第２センサ８００が作動し（Ｓ２）、セット部６４０にセットされた特殊景品１００が１つずつカウントされていく。
【００２０】
カウントが終了すると（Ｓ３）、搬送手段６００、第１センサ７００、及び第２センサ８００が停止し（Ｓ４）、カウント結果が表示手段５００に表示される（Ｓ５）。
【００２１】
また、カウント時においては、貴金属１３０の導電率の値が正常であることが確認される（Ｓ６）。すなわち、特殊景品１００が第１センサ７００及び第２センサ８００を通過すると同時に、その特殊景品１００の代価と貴金属１３０の導電率とを照合し、それらが不一致の場合は、搬送手段６００、第１センサ７００、及び第２センサ８００が停止し（Ｓ７）、エラー表示が表示手段５００に表示される（Ｓ８）。
【００２２】
このような構成によると、貴金属１３０が異なる偽造品は、見た目が精巧に造られていても、これを速やかに発見することができる。貴金属１３０を取り出して真鍮製の偽物に置き換えたとしても、それがカウントされることはない。
【００２３】
以上説明したように、本例の特殊景品の計数装置は、特殊景品の偽造の発見、及び偽造行為の防止という点で極めて信頼性の高いものである。ＩＣ回路の記憶情報に基づいて特殊景品を流通する場合は、貴金属を抜き出して復元する行為を防止する必要があるところ、本例の計数装置よれば、特殊景品をカウントする際に貴金属の導電率に基づいて特殊景品の真贋を判断するので、偽造品の流通を未然に防ぐことができる。尚、本例における各部の構成は、特許請求の範囲に記載した技術的範囲において適宜に設計変更が可能であり、図例説明したものに限定されないことは勿論である。
【産業上の利用可能性】
【００２４】
本発明の特殊景品の計数装置は、パチンコやスロットマシンで獲得した遊戯媒体に応じて交換される景品をカウントする装置として好適に利用することが可能である。
【図面の簡単な説明】
【００２５】
【図１】本発明の実施例に係り、計数装置を示す説明図である。
【図２】本発明の実施例に係り、（ａ）は特殊景品を示す正面図、（ｂ）は（ａ）のＸ−Ｘ断面図である。
【図３】本発明の実施例に係り、特殊景品の分解断面図である。
【図４】本発明の実施例に係り、非接触式ＩＣ回路の正面図である。
【図５】本発明の実施例に係り、計数装置の制御を示すフローチャートである。
【符号の説明】
【００２６】
１    計数装置
１００    特殊景品
１１０    ケース
１１１    第１ケース部材
１１１ａ    非接触式ＩＣ回路の位置決め部
１１１ｂ    貴金属の位置決め部
１１２    第２ケース部材
１１２ａ    透明部
１２０    非接触式ＩＣ回路
１２１    フレキシブル基板
１２２    ＩＣチップ
１２３    アンテナ
１３０    貴金属
２００    制御手段
３００    記憶手段
４００    操作手段
５００    表示手段
６００    搬送手段
６１０    モータ
６２０    プーリ
６３０    ベルト
６４０    セット部
７００    第１センサ
８００    第２センサ
【図１】
2010082209.tif 000003
【図２】
2010082209.tif 000004
【図３】
2010082209.tif 000005
【図４】
2010082209.tif 000006
【図５】
2010082209.tif 000007